(57)【要約】【課題】本発明の目的は、魚が、隠れ場、休み場、産卵場及び餌場として有効に利用でき、既存の漁場の拡大や新たな漁場の創出を図ることができる人工魚礁及び人工魚礁連結体を提供すること。【解決手段】  魚類が通る通路を有する魚礁本体１ａと、該魚礁本体の側端部に、魚礁本体を安定保持するための鍔部１ｂが形成され、魚礁本体１ａには魚が出入り可能な大きさの通穴Ｈが形成されている人工魚礁。  魚礁本体の通路はアーチ状であり、通穴は複数個形成されている。  また、魚礁本体の前端から鍔部１ｂが一定長さ延長され且つ後端から鍔部１ｂが一定長さ欠損されているようにすると連結状態で極めて安定したものとなる人工魚礁。【選択図】図９
2007006768.tif 000002
【特許請求の範囲】
【請求項１】
魚類が通る通路を有する魚礁本体と、該魚礁本体の側端部に、魚礁本体を安定保持するための鍔部が形成され、魚礁本体には魚が出入り可能な大きさの通穴が形成されていることを特徴とする人工魚礁。
【請求項２】
前記魚礁本体の通路はアーチ状に形成されたことを特徴とする請求項１に記載の人工魚礁。
【請求項３】
前記通穴は複数個形成されていることを特徴とする請求項１に記載の人工魚礁。
【請求項４】
前記通穴は異なった形状の複数個が形成されていることを特徴とする請求項１に記載の人工魚礁。
【請求項５】
前記アーチ状に形成された通路が長手方向に径が小さくなっていることを特徴とする請求項１に記載の人工魚礁。
【請求項６】
前記鍔部に切り欠きが形成されていることを特徴とする請求項１に記載の人工魚礁。
【請求項７】
魚礁本体の前端から鍔部が一定長さ延長され且つ後端から鍔部が一定長さ欠損されていることを特徴とする請求項１に記載の人工魚礁。
【請求項８】
前記魚礁本体の壁面から多数の貝殻の破片を突出させたことを特徴とする請求項１に記載の人工魚礁。
【請求項９】
請求項１ないし請求項４のいずれか１項に記載の人工魚礁を複数相互に連結し、連続的に通路を形成したことを特徴とする人工魚礁連結体。
【発明の詳細な説明】
【技術分野】
【０００１】
本発明は、海底、湖底及び河底等に沈められ魚が好んで入り込む人工魚礁及び人工魚礁連結体に関する。
より詳しくは、魚が、隠れ場、休み場、産卵場、餌場等として有効に利用することができる人工魚礁及び人工魚礁連結体に関する。
【背景技術】
【０００２】
従来、海底から凸凹状に突き出た岩場の所は天然礁と呼ばれ、魚が集まり又育成されるのに適した場である。
【０００３】
こうした場所と同じ機能を発揮するように、コンクリートブロック等で作製した構造体を海底等に沈めて魚場とする方法があるが、この場合、構造体は人工的なものであるため、いわゆる「人工魚礁」と呼ばれている。
人工魚礁の存在は一般に、魚にとって生息環境の向上となり、既存の漁場の他に新たな漁場を拡大したり創出したりするものとして有用されている。
【０００４】
魚礁の具体的な特徴として、水流の影響を阻止し、隠れ場、休み場、産卵場或いは餌場となり易いこと、すなわち魚が生きるために必要な機能が備わっていることが挙げられる。
【０００５】
因みに、隠れ場とは、魚を餌とする比較的大きな魚から餌食魚が身を隠すための場所であり、休み場とは、潮の流れから離れて魚が休息するための場である。
また、魚礁が産卵場及び餌場の役割を果たす理由としては、魚礁には産卵に必要な海藻が育ち易いことや、プランクトンを摂取し易いことが挙げられる。
【０００６】
ところで、実際に開発されている人工魚礁としては、例えば、直方体状の枠状のものが広く知られている（特許文献１及び特許文献２参照）。
なお、この人工魚礁は海底に沈められて魚の成長促進の場として用いられ、例えば、その大きさとしては長さが数メートルで重さが数トンのものがある（特許文献１の段落００１１、図２）。
【０００７】
【特許文献１】特許第２６９５７３５号公報
【特許文献２】特開平８−１４０５１９号公報
【発明の開示】
【発明が解決しようとする課題】
【０００８】
しかしながら、上述した従来の人工魚礁では、総じてフレームを組み上げたような形状をしているため、構造自体が複雑である。
特に、コンクリート製のものの場合は、製造上、使用する金型が複雑となる。
またパイプや線材を使っているために製造コストが高くなる。
更に構造が複雑であるために沈下させる場合、水の抵抗を受け易く位置決めが難しくなり、またパイプや線材は変形し易く当初の設計形状を維持しにくい。
全体形状として角部が多くて、潮流の影響を受け易く、魚の隠れ場、休み場、産卵場及び餌場として必ずしも有効に機能していない。
【０００９】
本発明は、このような従来の背景に基づいてなされたものである。
すなわち、本発明は、魚が、隠れ場、休み場、産卵場及び餌場として有効に利用でき、既存の漁場の拡大や新たな漁場の創出を図ることができる人工魚礁及び人工魚礁連結体を提供することを目的とする。
【課題を解決するための手段】
【００１０】
かくして、本発明者は、このような課題背景に対して鋭意研究を重ねた結果、人工魚礁を曲面と平面を使ったシンプルな形状とすることにより、上記の問題点を解決することができることを見出し、この知見に基づいて本発明を完成させたものである。
【００１１】
すなわち、本発明は、（１）、魚類が通る通路を有する魚礁本体と、該魚礁本体の側端部に、魚礁本体を安定保持するための鍔部が形成され、魚礁本体には魚が出入り可能な大きさの通穴が形成されている人工魚礁に存する。
【００１２】
また、本発明は、（２）、前記魚礁本体の通路はアーチ状に形成された上記（１）に記載の人工魚礁に存する。
【００１３】
また、本発明は、（３）、前記通穴は複数個形成されている上記（１）に記載の人工魚礁に存する。
【００１４】
また、本発明は、（４）、前記通穴は異なった形状の複数個が形成されている上記（１）に記載の人工魚礁に存する。
【００１５】
また、本発明は、（５）、前記アーチ状に形成された通路が長手方向に径が小さくなっている上記（１）に記載の人工魚礁に存する。
【００１６】
また、本発明は、（６）、前記鍔部に切り欠きが形成されている上記（１）に記載の人工魚礁に存する。
【００１７】
また、本発明は、（７）、魚礁本体の前端から鍔部が一定長さ延長され且つ後端から鍔部が一定長さ欠損されている上記（１）に記載の人工魚礁に存する。
【００１８】
また、本発明は、（８）、前記魚礁本体の壁面から多数の貝殻の破片を突出させた上記（１）に記載の人工魚礁に存する。
【００１９】
また、本発明は、（９）、上記（１）ないし（４）のいずれか１項に記載の人工魚礁を複数相互に連結し、連続的に通路を形成した人工魚礁連結体に存する。
【００２０】
なお、本発明の目的に添ったものであれば、上記（１）から（９）を適宜組み合わせた構成も採用可能である。
【発明の効果】
【００２１】
本発明の人工魚礁は、魚類が通る通路を有する魚礁本体と、該魚礁本体の側端部に、魚礁本体を安定保持するための鍔部が形成され、また魚礁本体には魚が出入り可能な大きさの通穴が形成されているので、通路内が魚の住み場（隠れ場、休み場、産卵場及び餌場）となり、通穴を通して魚が自由に出入りすることができる。
また、鍔部を備えることにより人工魚礁全体が安定した状態で海底に設置される。
【００２２】
また、人工魚礁を複数相互に連結し、長い連続した通路を形成できるので、簡単に魚礁の拡張が可能である。
また魚礁本体に形成された通穴の形状や大きさが製造上、金型の一部の設計変更により容易に変えられるために、漁場に応じたものが提供できる。
結果的に、既存の漁場の拡大や新たな漁場の創出を容易に図ることができる。
【発明を実施するための最良の形態】
【００２３】
以下、本発明を実施するための最良の形態を図面を用いて説明する。
先ず、本発明の人工魚礁の利用形態を図１に示す。
本発明の人工魚礁１は、単独で使ったり、或いは、図１に示すように、複数相互に連結させて人工魚礁連結体として使用することもできる。
後者の場合、人工魚礁１同士の連結を確実にするために、例えば、連結具２を使って連結することがあるが、この例では人工魚礁にボルト穴を前もって開けておき連結板とボルトで連結した例を示した。
【００２４】
また、多数個の人工魚礁１を連結し人工魚礁連結体とした場合には、一本の連続した長い通路Ｔを形成することができる。
【００２５】
人工魚礁１の材料には、一般にコンクリートが用いられ、重量が重く海底でも安定するために、単体として、（或いは隣接させた状態として、）又は連結させた状態として、施工することが可能である。
【００２６】
〔人工魚礁１〕
図２は、人工魚礁１の第１の実施の形態を示す斜視図である。
人工魚礁１は、魚類が通る通路Ｔを有する魚礁本体１ａを備え、該魚礁本体の側端部には鍔部１ｂが形成されている。
また魚礁本体１ａには魚が出入り可能な大きさの円形の通穴Ｈが形成されている。
魚礁本体１ａはアーチ状に形成されており、内部の通路Ｔも同様にアーチ状の空間となっている。
この通路Ｔは、魚が群生する場となる。
【００２７】
魚礁本体１ａに通穴Ｈが形成されていることから、魚がこの通穴Ｈを通じて自由に通路内に出入りすることが可能である。
鍔部１ｂは、アーチ状の魚礁本体１ａの側端部から外方に拡大するように形成されている。
この人工魚礁１は、この鍔部１ｂを有することにより人工魚礁全体を海の底地に安定した状態に着地させることができる。
【００２８】
〔人工魚礁２〕
図３は、人工魚礁１の第２の実施の形態を示す斜視図である。
この人工魚礁１は、アーチ状の魚礁本体１ａの全体に規則的に多数の円形の通穴Ｈが形成されているものである。
この通穴Ｈは、ランダムに形成することも当然可能である。
【００２９】
〔人工魚礁３〕
図４は、人工魚礁１の第３の実施の形態を示す斜視図である。
この人工魚礁１は、アーチ状の魚礁本体１ａの全体にそれぞれ異なった大きさの円形の３個の通穴Ｈが形成されているものである。
それぞれの円形の通穴Ｈの配置は、例えば、中央に最小の通穴Ｈを形成する等の変更は当然可能である。
【００３０】
〔人工魚礁４〕
図５は人工魚礁１の第４の実施の形態を示す斜視図である。
この人工魚礁１は、アーチ状の魚礁本体１ａに３つの矩形の通穴Ｈが形成されているものである。
当然、この矩形の通穴Ｈの数は自由に設定可能である。
【００３１】
〔人工魚礁５〕
図６は、人工魚礁１の第５の実施の形態を示す斜視図である。
この人工魚礁１は、アーチ状の魚礁本体１ａの通路Ｔが長手方向に径が徐々に小さくなっているものである。
このように通路Ｔの径を設定することで、海水の動きのない深海に沈下させた場合にも通路Ｔに水の流れが生じ易い。
【００３２】
〔人工魚礁６〕
図７は、人工魚礁１の第６の実施の形態を示す斜視図である。
この人工魚礁１は、図２の人工魚礁１の鍔部１ｂに切り欠きＫが形成されているものである。
この切り欠きＫは、人工魚礁１を海底に沈下施工させた場合に、底面の凸凹を逃がすためのものであり、この部分に海底の突起が嵌まることで、人工魚礁１の遊動が阻止される利点がある。
【００３３】
〔人工魚礁７〕
図８は、人工魚礁１の第７の実施の形態を示す斜視図である。
この人工魚礁１は、魚礁本体１ａの前端から鍔部１ｂが一定長さ延長されて延長部１ｂ１となっている。
また魚礁本体１ａの後端から鍔部１ｂが一定長さ欠損されて欠損部１ｂ２が形成されている。
【００３４】
従って、このような人工魚礁１を複数個連結させていくと、図９に示すように、前方にある第１の人工魚礁１Ｘの鍔部１ｂの欠損部１ｂ２に、後方にある第２の人工魚礁１Ｙの鍔部１ｂの延長部１ｂ１が嵌まり込むようになる。
その場合、その第２の人工魚礁１Ｙの延長部１ｂ１の上に、第１の人工魚礁１Ｘの魚礁本体１ａの一部の下面が載置された状態となる。
そのため、海底に敷設した場合、一方の人工魚礁１Ｘが他方の人工魚礁１Ｙ下方に押さえるように作用するために連結させた場合に安定化する。
【００３５】
以下、本発明を実施例にしたがって述べるが、本発明は実施例にのみ限定されるものではない。
【００３６】
（実施例）
上述の図２に示した形状のコンクリート製の人工魚礁１を５個試作した。
魚礁本体１ａの内径は３ｍ、外径が３．２ｍ、厚さが０．２ｍ、長さが２ｍ、鍔部１ｂの幅が１ｍである。
また通穴Ｈの径は０．５ｍした。
人工魚礁１の重量は約６ｔであった。
そして、２個を連結させて人工魚礁連結体（実験用魚礁Ａ）とし、残りは単独の実験用魚礁（Ｂ、Ｃ、Ｄ）として、海底２０メートルの位置に沈下させ敷設した。
【００３７】
以上の施工を行い、１年経過した後、各実験用魚礁の状態を観察した。
その結果、実験用魚礁Ａ、実験用魚礁（Ｂ、Ｃ、Ｄ）とも、海草等が密度濃く繁殖しており、また魚が通路に多く集まっているのが確認できた。
また、通穴から小魚が自由に出入りしているのが観察された。
【００３８】
本発明の人工魚礁によれば、通路内が魚の住み場（隠れ場、休み場、産卵場及び餌場）となり、通穴を通して魚が自由に出入りすることができる。
また、鍔部を備えることにより人工魚礁全体が安定した状態で海底に設置できる。
また、人工魚礁を複数相互に連結し、長い連続した通路を形成できるので、簡単に魚礁の拡張が可能であり、そのため、既存の漁場の拡大や新たな漁場の創出を容易に図ることができる。
【００３９】
以上、本発明を説明してきたが、本発明は上述した実施形態にのみ限定されるものではなく、その本質を逸脱しない範囲で、他の種々の変形が可能であることはいうまでもない。
例えば、魚礁としては、海底だけでなく、湖底や河底に沈めて用いることも可能である。
【００４０】
また、連結具としては、図１に示すようなもの以外にも、例えば図１０に示すようなコの字状の連結具２等、種々のものが採用可能である。
図１０の場合には、連結具２を嵌め込むための嵌り溝Ｌを鍔部１ｂに形成することとなる。
【００４１】
また、人工魚礁の材料としては、主としてコンクリートが用いられるが、水に沈むものであれば種々の材料が採用可能である。
また、コンクリートを使用する場合、用途によっては、図１１（図２のＡ−Ａ断面）に示すように、その中に貝殻等の破片を混入すると良い。
このようにすると、魚礁本体１ａの内壁面から多数の貝殻等の破片４が突出し、海藻５の胞子が付着し繁殖し易くなり、餌食魚の餌場として優れたものとなる。
【図面の簡単な説明】
【００４２】
【図１】図１は、本発明の人工魚礁の利用形態を示す説明図である。
【図２】図２は、本発明の人工魚礁の第１の実施形態を示す説明図である。
【図３】図３は、本発明の人工魚礁の第２の実施形態を示す説明図である。
【図４】図４は、本発明の人工魚礁の第３の実施形態を示す説明図である。
【図５】図５は、本発明の人工魚礁の第４の実施形態を示す説明図である。
【図６】図６は、本発明の人工魚礁の第５の実施形態を示す説明図である。
【図７】図７は、本発明の人工魚礁の第６の実施形態を示す説明図である。
【図８】図８は、本発明の人工魚礁の第７の実施形態を示す説明図である。
【図９】図９は、図８の人工魚礁を連結した場合を示す説明図である。
【図１０】図１０は、連結具を使って魚礁を連結した場合の別の例を示す説明図である。
【図１１】図１１は、貝殻の破片を混入したコンクリート製の人工魚礁を示す説明図である。
【符号の説明】
【００４３】
１  人工魚礁
１ａ  魚礁本体
１ｂ  鍔部
１ｂ１  延長部
１ｂ２  欠損部
２  連結具
３  魚
４  貝殻の破片
５  海藻
Ｈ  通穴
Ｋ  切り欠き
Ｌ  嵌り溝
Ｔ  通路
【図１】
2007006768.tif 000003
【図２】
2007006768.tif 000004
【図３】
2007006768.tif 000005
【図４】
2007006768.tif 000006
【図５】
2007006768.tif 000007
【図６】
2007006768.tif 000008
【図７】
2007006768.tif 000009
【図８】
2007006768.tif 000010
【図９】
2007006768.tif 000011
【図１０】
2007006768.tif 000012
【図１１】
2007006768.tif 000013